(57)【要約】【課題】プロジェクタの記憶可能容量の圧迫を抑制できる。【解決手段】スクリーン３上に画像を投影する投影部３０と、画像のデータを記憶する記憶部２７等のデータ記憶部とを備え、外部機器とネットワーク接続可能なプロジェクタ１等の画像投影装置において、データ記憶部に記憶された画像データをネットワークを介して外部機器に転送する無線通信部２１等の転送手段と、データ記憶部に記憶されている画像データを外部機器に転送する処理を転送手段に行わせ、転送後の画像データはデータ記憶部から削除するよう制御するシステム制御部２４等の制御部とを有する。【選択図】図２
2016114753.tif 000002
【特許請求の範囲】
【請求項１】
スクリーン上に画像を投影する投影部と、前記画像のデータを記憶するデータ記憶部とを備え、外部機器とネットワーク接続可能な画像投影装置において、
前記データ記憶部に記憶された前記画像データをネットワークを介して前記外部機器に転送する転送手段と、
前記データ記憶部に記憶されている前記画像データを前記外部機器に転送する処理を前記転送手段に行わせ、転送後の前記画像データは前記データ記憶部から削除するよう制御する制御部と
を有することを特徴とする画像投影装置。
【請求項２】
請求項１記載の画像投影装置において、
前記データ記憶部に記憶された前記画像データに関連付けられた認証情報を記憶する認証情報記憶部と、認証情報入力部と、を備え、
前記制御部は、前記画像データを前記外部機器に転送し、かつ転送後の前記画像データを前記データ記憶部より削除する処理を行う際、前記認証情報入力部に入力された認証情報が前記認証情報記憶部に記憶されている該画像データについて当該処理に対応した認証情報と一致するか否かを判断し、一致するときには当該処理を実行し、一致しないときには当該処理の実行を禁止するよう制御することを特徴とする画像投影装置。
【請求項３】
請求項１又は２に記載の画像投影装置において、
前記データ記憶部に記憶された画像データを転送する前記外部機器を選択する選択手段を備え、該選択手段は、前記データ記憶部に記憶された画像データを転送することを許可するか否かを設定することを特徴とする画像投影装置。
【請求項４】
請求項１〜３のいずれか１項に記載の画像投影装置において、
前記選択手段は、ネットワークに接続されている前記外部機器の中で、前記外部機器の記憶部の使用量が最も少ない前記外部機器を選択することを特徴とする画像投影装置。
【請求項５】
外部端末装置と、記憶部を有する画像投影装置とがネットワークを介して接続されている画像投影システムにおいて、
前記画像投影装置として、請求項１〜４のいずれかの画像投影装置を用いることを特徴とする画像投影システム。
【請求項６】
請求項５記載の画像投影システムにおいて、
前記外部端末装置は、データおよびコマンドの少なくとも一つを入力するための入力部と、前記画像投影装置によってスクリーン上に投影させる画像データを記憶する記憶部と、該記憶部に記憶されている前記画像データの一覧、及び前記画像投影装置のアイコンを表示する表示部と、前記記憶部から前記画像投影装置のデータ記憶部へ所望の画像データを転送し、かつ転送後の画像データを削除するために、前記表示部の表示画面上において画像データの一覧から、前記所望の画像データが前記画像投影装置のアイコンへドラッグ・アンド・ドロップされた際に、認証情報の設定を促す認証情報設定要求部と、前記入力部を介して認証情報が設定された場合に、当該認証情報と、当該認証情報に付与されている処理の情報と、前記所望の画像データとを関連付けて前記画像投影装置のデータ記憶部へ転送する転送部とを備え、前記認証情報設定要求部は、認証情報設定を要求し、当該認証情報に転送処理及び削除処理を設定することを特徴とする画像投影システム。
【発明の詳細な説明】
【技術分野】
【０００１】
本発明は、画像投影装置及び画像投影システムに関するものである。
【背景技術】
【０００２】
従来、投影用の画像データを画像投影装置であるプロジェクタ内の記憶部に格納することができる画像投影装置が知られている。
【０００３】
特許文献１には、投影用の画像データを記憶する記憶部を備える画像投影装置が開示されている。この画像投影装置では、ネットワーク接続されているパーソナルコンピュータ等の外部端末装置の記憶部に格納されている画像データによる画像をスクリーン上に投影する場合、その画像データはネットワークを介して画像投影装置に転送され、その転送された画像データによる画像の投影が可能となるとされている。
【発明の概要】
【発明が解決しようとする課題】
【０００４】
近年、このようなプロジェクタ同士をネットワークを介して接続し、一のプロジェクタ内に転送された画像データを別のプロジェクタへ転送して別のプロジェクタで投影できるシステムが要望される。
【０００５】
このシステムにおいて、外部端末装置から転送された画像データを一のプロジェクタの記憶部に格納し、その画像データを記憶部から読み出して別のプロジェクタに転送する場合が考えられる。この場合、プロジェクタ内に保存できるデータ量には限りがあるため、一のプロジェクタの記憶部に格納された画像データを別のプロジェクタへ転送して投影する際、一のプロジェクタ内に当該画像データが残ったままであると、当該一のプロジェクタの記憶可能容量を圧迫する。この圧迫を避けるためには、転送したユーザーが一のプロジェクタ内に格納された画像データを削除する操作を行えばよいのであるが、その操作をユーザーが忘れることは十分考えられる。この結果、プロジェクタ内に、転送後の画像データが残り続け、プロジェクタの記憶可能容量を圧迫し続ける事態が起こり得る。
【課題を解決するための手段】
【０００６】
上述した課題を解決するために、請求項１の発明は、スクリーン上に画像を投影する投影部と、前記画像のデータを記憶するデータ記憶部とを備え、外部機器とネットワーク接続可能な画像投影装置において、前記データ記憶部に記憶された前記画像データをネットワークを介して前記外部機器に転送する転送手段と、前記データ記憶部に記憶されている前記画像データを前記外部機器に転送する処理を前記転送手段に行わせ、転送後の前記画像データは前記データ記憶部から削除するよう制御する制御部とを有することを特徴とするものである。
【発明の効果】
【０００７】
本発明によれば、プロジェクタの記憶可能容量の圧迫を抑制できるという特有の効果が得られる。
【図面の簡単な説明】
【０００８】
【図１】画像投影システムを説明する概略図。
【図２】プロジェクタの構成を説明するブロック図。
【図３】プロジェクタに画像データを転送する際の外部端末装置でのパスワード設定処理を説明するフローチャート。
【図４】転送先のプロジェクタの選択処理における表示部上の表示例。
【図５】ファイル保存先の選択処理における表示部上の表示例。
【図６】パスワード設定処理における表示部上の表示例。
【図７】本実施形態に係る一のプロジェクタから別のプロジェクタに画像データを転送・削除する一連の処理を説明するフローチャート。
【図８】処理メニューの投影表示例。
【図９】格納されているファイルの選択処理における投影表示例。
【図１０】パスワード設定処理における投影表示例。
【図１１】画像データ転送先のプロジェクタの選択処理における投影表示例。
【図１２】画像データ転送先のプロジェクタの選択処理における別の投影表示例。
【図１３】一プロジェクタ及び別のプロジェクタによる画像投影の様子を示す図。
【図１４】パスワード認証失敗時における投影表示例。
【発明を実施するための形態】
【０００９】
以下、本発明の画像投影装置としてのプロジェクタと外部端末装置をネットワークで接続した画像投影システムについて説明する。
図１は、同画像投影システムを説明する概略図である。図１に示すように、画像投影装置としてのプロジェクタ１は、外部端末装置４から、有線や無線のネットワークを経由して、投影用の画像データを受信し、その画像データをプロジェクタ内の記憶部に格納する。そして、プロジェクタ１は、リモコン２により、記憶部に格納された画像をスクリーン３上に投影する。スクリーン３は、プロジェクタ１により投影された光を反射できればどのような部材であってもよい。外部端末装置４は、アプリケーションプログラムを実行する制御部４ａ、アプリケーションプログラム及び画像データを格納する記憶部４ｂ、プロジェクタ１等の外部機器にネットワークを経由して画像データ等の各種データを転送する転送部４ｃ、ユーザーインターフェースを表示する液晶ディスプレイなどの表示部４ｄ、ユーザーからの入力を受け付けるキーボードやマウスなどの入力部４ｅを備えている。外部端末装置４は、例えば、ノート型のコンピュータ、タブレット端末、スマートフォン等の情報処理を実行するコンピュータであってよい。
【００１０】
次に、プロジェクタ１の構成について説明する。
図２は、プロジェクタ１の構成を説明するブロック図である。
図２に示すように、プロジェクタ１は、無線通信部２１、有線通信部２２、外部接続部２３、システム制御部２４、操作部２５、リモコン受信部２６、記憶部２７、ファン制御部２８、ファン２９、投影部３０を備えている。
【００１１】
無線通信部２１は、無線ＬＡＮ（Local Area Network）のインターフェース及びその通信部を含み、無線ＬＡＮを経由して外部機器と接続する。有線通信部２２は、有線ＬＡＮのインターフェース及びその通信部を含み、有線ＬＡＮで外部機器と接続する。外部接続部２３は、外部からの映像（画像）信号、例えばコンピュータからの画像出力信号、映像機器等からのＨＤＭＩ（High-Definition Multimedia Interface、登録商標）信号、ビデオ信号等を入力するためのインターフェースである。システム制御部２４は、例えばＣＰＵ（Central Processing Unit）とその周辺回路等を含み、記憶部２７等に記憶されたプログラムを実行することにより、プロジェクタ１全体の制御を行う。操作部２５は、各種情報を表示すると共に、プロジェクタ１の設定や操作等を行う表示入力手段である。リモコン受信部２６は、図１のリモコン２からの信号を受信し、遠隔操作を受け付ける。記憶部２７は、例えば、ＲＡＭ（Random Access Memory）、フラッシュＲＯＭ（Read Only Memory）、及び／又はストレージ等を含み、プロジェクタ１の各種プログラムや、投影する画像データ、及び各種設定データ等を記憶する。ファン制御部２８は、光源３５や装置内の温度が所定の温度となるようにファン２９を制御する。
【００１２】
投影部３０は、ＤＭＤ（Digital Mirror Device）制御部３１、ＣＷ（Color Wheel）制御部３２、回転検出部３３、光源制御部３４、光源３５、カラーホイール３６、ＤＭＤ３７、投射レンズ３８を備えている。光源３５は、ランプや、ＬＥＤ（Light Emitting Diode）又は半導体レーザー等の固体光源等の画像投影用の光源である。光源制御部３４は、光源３５の明るさや、点灯／消灯の制御等を行う。カラーホイール３６は、例えば、赤、青、緑の３色に色分けされた円板等を高速で回転させ、光源３５からの光を透過させることにより色づけを行う。回転検出部３３は、カラーホイール３６の回転状態を検出する。ＣＷ制御部３２は、カラーホイール３６の回転を制御する。ＤＭＤ３７は、多数の微小鏡面（マイクロミラー）を平面に配置した表示素子である。ＤＭＤ制御部３１は、ＤＭＤ３７のマイクロミラーをオン／オフ制御する。ＤＭＤ３７及びカラーホイール３６は、画像投影用の表示素子の一例であり、例えば、ＬＣＤ（Liquid Crystal Display）等の他の表示素子であってもよい。光源３５から出た光は、カラーホイール３６で色づけされ、投影対象の画像によって画素毎に、その向きが制御されるＤＭＤ３７で反射し、投射レンズ３８を通して図１のスクリーン３等の投影面に照射されて像を結ぶ。
【００１３】
図３は、プロジェクタに画像データを転送する際の外部端末装置でのパスワード設定処理を説明するフローチャートである。図４〜図６は、図２の外部端末装置４の表示部４ｄ上に表示された各処理における表示例である。図２の外部端末装置４は、プロジェクタ１とネットワーク接続している。
【００１４】
先ず、図１の外部端末装置４の制御部４ａは、プロジェクタ１へのファイル保存要求の発生を待機する（ステップＳ１０１）。このとき、例えば、図４に示すように、外部端末装置４の記憶部４ｂ上に格納されている各ファイルに対応するファイルアイコン（ＦＬ）が表示部４ｄのウインドウ（ＦＷ）に表示され、また転送先であるプロジェクタ１（ＰＪ１）を示すアイコンＰＪが表示されている。なお、外部端末装置４の記憶部４ｂ上のファイルをプロジェクタ１（ＰＪ１）に移動（転送）する場合には、所望のファイルアイコン（ＦＬ）上にマウスポインタ（ＭＰ）を置き、ドラッグ・アンド・ドロップすることにより実行できる。画像データを保存するプロジェクタ１の記憶部のどこに保存するかを設定する（ステップＳ１０２）。例えば、図５のような画面（「ファイル保存先を選択してください」のガイドメッセージ）を外部端末装置４の表示部４ｄに表示して、ファイル保存先であるプロジェクタ（ＰＪ１）のフォルダを選択させる。
【００１５】
続いて、保存する画像データファイルにパスワードを設定するか否かを判断する（ステップＳ１０３）。パスワード設定を行うときは図６のような画面（「パスワードを設定してください」のガイドメッセージ）を外部端末装置４の表示部４ｄに表示し、パスワード設定を要求する（ステップＳ１０３：ＹＥＳ、ステップＳ１０４）。なお、図６の画面に示す「他機器へ画像データ転送を許可」を選択すると、プロジェクタ１以外の他機器にプロジェクタ１から転送して転送先のプロジェクタから投影できるよう、投影を許可・不許可するパスワードとは別のパスワードと、転送する画像データとを関連付ける設定を行う。
【００１６】
そして、画像データとパスワード、そのパスワードの付加情報（転送可能なＰＪ情報）を関連付ける（ステップＳ１０５）。パスワードと画像データ、そのパスワードの付加情報を合わせて、図１の外部端末装置４の転送部４ｃから、図２のプロジェクタ１の無線通信部２１又は有線通信部２２を介して、記憶部２７の指定のフォルダ等に格納される（ステップＳ１０６）。
【００１７】
次に、外部端末装置からプロジェクタ（ＰＪ１）に転送された画像データを別のプロジェクタに転送・削除する際の処理について説明する。
図７は本実施形態に係る一のプロジェクタから別のプロジェクタに一の画像データを転送・削除する一連の処理を説明するフローチャートである。図８〜図１４は、スクリーン３上に投影された各処理における投影表示例である。プロジェクタ１は、別のプロジェクタとネットワーク接続している。
【００１８】
先ず、図２のプロジェクタ１のシステム制御部２４は、プロジェクタ１に格納されているファイル投影要求の発生を待機する。例えば、図８のようなメニュー画面を、プロジェクタ１、又は、プロジェクタ１にネットワーク接続されている別のプロジェクタからスクリーン３上に投影し、図２のプロジェクタ１の記憶部２７上に格納されている画像データファイルの選択を要求する（ステップＳ２０１）。例えば、図９のような画面により、プロジェクタ１の記憶部２７上に格納されている画像データファイルを、リモコン２、または、操作部２５を操作することによって、選択する（ステップＳ２０２）。
【００１９】
続いて、格納された画像データファイルが選択されたか判断する（ステップＳ２０３）。画像データファイルが選択されると、図１０のようにパスワード入力を促す画面（「パスワードを入力してください」のガイドメッセージ）をスクリーン３上に投影し、パスワード入力を要求する（ステップＳ２０４）。入力されたパスワードが、図３のステップＳ１０４で外部端末装置４の記憶部４ｂに保存された画像データを格納したプロジェクタのみ投影可能、別のプロジェクタへの転送可能、及び転送後に削除可能なパスワード（ＰＷ）であるかどうかを確認する（ステップＳ２０５）。
【００２０】
入力されたパスワードが、選択した画像データに関連づけられたＰＷと一致していると判断されれば、その画像データの投影先を選択する画面の投影を要求する（ステップＳ２０５；ＹＥＳ、ステップＳ２０６）。例えば、ネットワークに接続されていて、転送可能なプロジェクタ一覧の中からプロジェクタを選択する。選択できるプロジェクタは複数でも構わない。また、図１１のように、プロジェクタを設定する際、オプション設定として、他機器へ画像データ転送を不許可するかどうかも設定可能とする機能を設けてもよい。図２のステップＳ１０４にて、パスワード設定のオプション設定で、他機器への画像データ転送が許可されてなかった場合は、強制的に他機器への画像データ移動禁止設定になっている。なお、認証処理にはパスワード認証に限らず、指紋認証や網膜認証などでもよい。認証処理結果の成功については完全一致又は部分一致でもよい。
【００２１】
投影する画像データが格納されているプロジェクタ以外のプロジェクタに投影するかを確認する（ステップＳ２０７）。ステップＳ２０８にて、画像データを、画像データの画像を投影するプロジェクタの記憶部に転送して保存するかどうかを判断する（ステップＳ２０９）。他機器へ画像データ転送禁止されていなければ、画像データの転送・保存を実施する（ステップＳ２０9：ＹＥＳ、ステップＳ２１０）。画像データファイルを転送・保存するかどうかの判断基準としては、例えば、画像ファイルを格納しているプロジェクタ（ＰＪ１）より、画像を投影するプロジェクタ（ＰＪ３）の記憶部の記憶可能容量が大きい場合は、画像ファイルをプロジェクタ（ＰＪ３）の記憶部に転送・保存する。逆に、プロジェクタ（ＰＪ３）の記憶可能容量が小さい場合は、プロジェクタ（ＰＪ３）の記憶部に転送・保存しない。画像投影する他プロジェクタが複数ある場合は、その中で、最も記憶可能容量が大きいプロジェクタの記憶部に転送・保存する。また、例えば、プロジェクタ（ＰＪ１）の記憶部の使用率と、画像データを転送するプロジェクタ（ＰＪ３）の記憶部の使用率を比較し、プロジェクタ（ＰＪ３）の使用率の方が低ければ、プロジェクタ（ＰＪ３）の記憶部に画像データを転送・保存する。
【００２２】
そして、他のプロジェクタへ画像ファイルを転送・保存した場合は、元々画像データを格納していたプロジェクタ（ＰＪ１）の記憶部から、画像データを削除する（ステップＳ２１１）。その際、プロジェクタ（ＰＪ１）の記憶部には、画像データの転送先のリンク先情報を作成して格納してもよい。リンク先情報がプロジェクタ（ＰＪ１）に残されていることより、ステップＳ２０２の画像データのファイル選択画面にて、図１２のように、ファイルが実際格納されているプロジェクタ名を表示し、画像データが格納されているプロジェクタとネットワーク接続しているかどうかの状態を表示してもよい。もしも、そのプロジェクタがネットワーク接続されていない場合は、そのファイルの選択を不可にしてもよい。以上により、プロジェクタ（ＰＪ１）の記憶部の記憶可能容量を増やし、ネットワークに接続されているプロジェクタの記憶部の記憶可能容量を平準化することができる。
【００２３】
ステップＳ２０２で選択した画像データを、ステップＳ２０６で選択されたプロジェクタから投影を開始する（ステップＳ２１２）。ステップＳ２０５で入力されたパスワードが、図３のステップＳ１０４で設定されたパスワードと一致しない場合、図１４のような認証失敗（投影不許可）画面（「認証に失敗しました  ファイルの再生はできません」のメッセージ）を投影する（ステップＳ２０５：ＮＯ、ステップＳ２１３）。
【００２４】
以上に説明したものは一例であり、本発明は、次の態様毎に特有の効果を奏する。
（態様Ａ）
スクリーン３上に画像を投影する投影部３０と、画像のデータを記憶する記憶部２７等のデータ記憶部とを備え、外部機器とネットワーク接続可能なプロジェクタ１等の画像投影装置において、データ記憶部に記憶された画像データをネットワークを介して外部機器に転送する無線通信部２１等の転送手段と、データ記憶部に記憶されている画像データを外部機器に転送する処理を転送手段に行わせ、転送後の画像データはデータ記憶部から削除するよう制御するシステム制御部２４等の制御部とを有する。
本態様によれば、一のプロジェクタ内に格納された画像データを別のプロジェクタへ転送したときは、一のプロジェクタ内に格納された画像データを削除する。これにより、転送したユーザーが一のプロジェクタ内に格納された画像データを削除する操作が不要になり、転送した画像データが一のプロジェクタに残り続ける事態がなくなる。よって、プロジェクタの記憶可能容量の圧迫を抑制できる。
【００２５】
（態様Ｂ）
（態様Ａ）において、データ記憶部に記憶された画像データに関連付けられた認証情報を記憶する認証情報記憶部と、認証情報入力部とを備え、制御部は、画像データを外部機器に転送し、かつ転送後の画像データをデータ記憶部より削除する処理を行う際、認証情報入力部に入力された認証情報が認証情報記憶部に記憶されている該画像データについて当該処理に対応した認証情報と一致するか否かを判断し、一致するときには当該処理を実行し、一致しないときには当該処理の実行を禁止するよう制御する。これによれば、上記実施形態について説明したように、画像データを外部機器に転送する処理を転送手段に行わせるとともに転送後の画像データをデータ記憶部から削除する処理に対応する認証情報を認証情報記憶部に記憶する。これにより、一のプロジェクタ内に格納された画像データを転送・削除する処理について許可・不許可をコントロールすることができる。
【００２６】
（態様Ｃ）
（態様Ａ）又は（態様Ｂ）において、データ記憶部に記憶された画像データを転送する外部機器を選択する選択手段を備え、選択手段は、データ記憶部に記憶された画像データを転送することを許可するか否かを設定する。これによれば、上記実施形態について説明したように、画像データの管理者が、画像投影装置に格納されている画像データを別の外部機器に転送されたくない場合、転送禁止の設定が可能となる。また、管理者は、転送先を特定することができるので、画像データの存在先を把握することができる。
【００２７】
（態様Ｄ）
（態様Ａ）〜（態様Ｃ）において、選択手段は、ネットワークに接続されている外部機器の中で、外部機器の記憶部の使用量が最も少ない外部機器を選択する。これによれば、上記実施形態について説明したように、外部機器の記憶部の使用量が最も少ない外部機器に画像データを転送することで、ネットワークに接続されている外部機器の記憶部の記憶可能容量を平準化させることができる。よって、画像投影装置や外部機器の記憶部の記憶可能容量が圧迫することを防ぐことができる。
【００２８】
（態様Ｅ）
外部端末装置と、記憶部を有する画像投影装置とがネットワークを介して接続されている画像投影システムにおいて、画像投影装置として、（態様Ａ）〜（態様Ｄ）のいずれかの画像投影装置を用いる。これによれば、上記実施形態について説明したように、一のプロジェクタ内に格納された画像データを別のプロジェクタへ転送したときは、一のプロジェクタ内に格納された画像データを削除することで、転送したユーザーが一のプロジェクタ内に格納された画像データを削除する操作を忘れていても、当該画像データが一のプロジェクタに残り続ける事態を防げる。これにより、プロジェクタの記憶可能容量を圧迫する状況を抑制できる。よって、当該一のプロジェクタに新たな画像データを保存して投影させることができる。
【００２９】
（態様Ｆ）
（態様Ｅ）において、外部端末装置は、データおよびコマンドの少なくとも一つを入力するための入力部と、画像投影装置によってスクリーン上に投影させる画像データを記憶する記憶部と、記憶部に記憶されている画像データの一覧、および画像投影装置のアイコンを表示する表示部と、記憶部から画像投影装置のデータ記憶部へ所望の画像データを転送し、かつ転送後の画像データを削除するために、表示部の表示画面上において画像データの一覧から、所望の画像データが画像投影装置のアイコンへドラッグ・アンド・ドロップされた際に、認証情報の設定を促す認証情報設定要求部と、入力部を介して認証情報が設定された場合に、当該認証情報と、当該認証情報に付与されている処理の情報と、所望の画像データとを関連付けて画像投影装置のデータ記憶部へ転送する転送部とを備え、認証情報設定要求部は、認証情報設定を要求し、当該認証情報に転送処理及び削除処理を設定する。
これによれば、上記実施形態について説明したように、転送処理及び削除処理に対応する認証情報の入力を要求することで、入力された認証情報と関連付けられた認証情報とが符合した場合に転送処理を実行させる。よって、入力された認証情報と関連付けられた認証情報とが符合しない限り、一のプロジェクタにおいて別のプロジェクタに画像データを転送し、かつ転送後にその画像データを削除させることを禁止して一のプロジェクタ内に格納された画像データを転送・削除する操作について許可・不許可をコントロールすることができる。
【符号の説明】
【００３０】
１  プロジェクタ
２  リモコン
３  スクリーン
４  外部端末装置
４ａ  制御部
４ｂ  記憶部
４ｃ  転送部
４ｄ  表示部
４ｅ  入力部
２１  無線通信部
２２  有線通信部
２３  外部接続部
２４  システム制御部
２５  操作部
２６  リモコン受信部
２７  記憶部
２８  ファン制御部
２９  ファン
３０  投影部
３１  ＤＭＤ制御部
３２  ＣＷ制御部
３３  回転検出部
３４  光源制御部
３５  光源
３６  カラーホイール
３７  ＤＭＤ
３８  投射レンズ
【先行技術文献】
【特許文献】
【００３１】
【特許文献１】特許第４９８３９８８号公報
【図１】
2016114753.tif 000003
【図２】
2016114753.tif 000004
【図３】
2016114753.tif 000005
【図４】
2016114753.tif 000006
【図５】
2016114753.tif 000007
【図６】
2016114753.tif 000008
【図７】
2016114753.tif 000009
【図８】
2016114753.tif 000010
【図９】
2016114753.tif 000011
【図１０】
2016114753.tif 000012
【図１１】
2016114753.tif 000013
【図１２】
2016114753.tif 000014
【図１３】
2016114753.tif 000015
【図１４】
2016114753.tif 000016